(57)【要約】【課題】人間の視覚以外の五感を刺激し、広告の訴求効果を高める技術を提供することを目的とする。【解決手段】情報処理装置は、表示される広告への車の接近を検知することと、広告への車の接近を検知した場合に、車に乗る人間の視覚以外の五感に、広告に関連する刺激を与えることと、を実行する制御部を備える。【選択図】図１
2020030755.tif 000002
【特許請求の範囲】
【請求項１】
表示される広告への車の接近を検知することと、
前記広告への車の接近を検知した場合に、前記車に乗る人間の視覚以外の五感に、前記広告に関連する刺激を与えることと、
を実行する制御部を備える、情報処理装置。
【請求項２】
前記制御部は、前記広告をデジタルサイネージに表示することを実行する、
請求項１に記載の情報処理装置。
【請求項３】
前記広告は、楽曲に関するものであり、
前記制御部は、前記楽曲を前記車の中に流すことを実行する、
請求項１又は２に記載の情報処理装置。
【請求項４】
前記制御部は、前記広告に関連する匂いを前記車の中で発生させることを実行する、
請求項１から３のうち何れか１項に記載の情報処理装置。
【請求項５】
前記制御部は、前記広告に関連する匂いを前記広告が表示される所から前記車へ向けて送ることを実行する、
請求項１から３のうち何れか１項に記載の情報処理装置。
【請求項６】
前記広告は、飲食物に関するものであって、前記制御部は、前記車に乗る人間に前記飲食物を想起させる刺激を与える、
請求項１から５のうち何れか１項に記載の情報処理装置。
【請求項７】
前記広告は、植物に関するものであって、前記制御部は、前記車に乗る人間に前記植物を想起させる刺激を与える、
請求項１から５のうち何れか１項に記載の情報処理装置。
【請求項８】
表示される広告への車の接近を検知することと、
前記広告への車の接近を検知した場合に、前記車に乗る人間の視覚以外の五感に、前記広告に関連する刺激を与えることと、
を含む、情報処理方法。
【請求項９】
表示される広告への車の接近を検知することと、
前記広告への車の接近を検知した場合に、前記車に乗る人間の視覚以外の五感に、前記広告に関連する刺激を与えることと、
をコンピュータに実行させるプログラム。
【発明の詳細な説明】
【技術分野】
【０００１】
本発明は、情報処理装置、情報処理方法およびプログラムに関する。
【背景技術】
【０００２】
近年、広告の訴求効果を高める技術が開発されている。特許文献１では、ユーザが予め設定した情報に基づいたインタラクティブ広告に関する技術が開示されている。
【先行技術文献】
【特許文献】
【０００３】
【特許文献１】特開２０１４−１３５０５８号公報
【発明の概要】
【発明が解決しようとする課題】
【０００４】
本発明は、人間の視覚以外の五感を刺激し、広告の訴求効果を高める技術を提供することを目的とする。
【課題を解決するための手段】
【０００５】
本発明の第１の態様は、
表示される広告への車の接近を検知することと、
前記広告への車の接近を検知した場合に、前記車に乗る人間の視覚以外の五感に、前記広告に関連する刺激を与えることと、
を実行する制御部を備える、情報処理装置である。
【０００６】
本発明の第２の態様は、
表示される広告への車の接近を検知することと、
前記広告への車の接近を検知した場合に、前記車に乗る人間の視覚以外の五感に、前記広告に関連する刺激を与えることと、
を含む、情報処理方法である。
【０００７】
本発明の第３の態様は、
表示される広告への車の接近を検知することと、
前記広告への車の接近を検知した場合に、前記車に乗る人間の視覚以外の五感に、前記広告に関連する刺激を与えることと、
をコンピュータに実行させるプログラム、または、該プログラムを非一時的に記憶したコンピュータ可読記憶媒体である。
【発明の効果】
【０００８】
本発明によれば、人間の視覚以外の五感を刺激し、広告の訴求効果を高める技術を提供することができる。
【図面の簡単な説明】
【０００９】
【図１】図１は、第一実施形態に係る広告表示システムの構成の概要の一例を示している。
【図２】図２は、送風機の構造の概要の一例を示している。
【図３】図３は、デジタルサイネージの機能構成の概要の一例を示している。
【図４】図４は、広告情報ＤＢに含まれるテーブルの概要の一例を示している。
【図５】図５は、送風機の制御装置の機能構成の概要の一例を示している。
【図６】図６は、デジタルサイネージが、送風機のファンを回転させる制御信号を発信する処理を実行するフローチャートの一例を示している。
【図７】図７は、送風機がカートリッジＩＤを要求する要求信号を外部の装置から受信した場合に実行される処理のフローチャートの一例を示している。
【図８】図８は、送風機がファンの回転を制御する制御信号を外部の装置から受信した場合に実行される処理のフローチャートの一例を示している。
【図９】図９は、デジタルサイネージのディスプレイに花屋の広告が表示される場合の広告表示システムの動作の一例を示している。
【図１０】図１０は、デジタルサイネージに車両が接近する状況の一例を示す図である。
【図１１】図１１は、車両の接近を検知した場合に、広告の表示場所近傍か当該車両へ向けて匂いを送風する広告表示システムの概要の一例をしている。
【図１２】図１２は、送風機の機能構成の概要の一例を示している。
【図１３】図１３は、送風機が、接近する車両を検知した場合、ファンを回転させ、花の匂いを外部へ拡散させる処理を実行するフローチャートの一例を示している。
【図１４】図１４は、第二実施形態に係る広告表示システムの構成の概要の一例を示している。
【図１５】図１５は、デジタルサイネージの機能構成の概要の一例を示している。
【図１６】図１６は、広告情報ＤＢに含まれるテーブルの概要の一例を示している。
【図１７】図１７は、カーオーディオの機能構成の概要の一例を示している。
【図１８】図１８は、デジタルサイネージが、ディスプレイに表示される広告に関連する楽曲の音響信号を発信する処理を実行するフローチャートの一例を示している。
【図１９】図１９は、カーオーディオの動作のフローチャートの一例を示している。
【図２０】図２０は、デジタルサイネージのディスプレイに表示される広告が歌手の新曲に関する広告である場合のカーオーディオの動作フローの概要の一例を示している。
【図２１】図２１は、第二実施形態の変形例に係る広告表示システムの概要の一例をしている。
【図２２】図２２は、カーオーディオの機能構成の概要の一例を示している。
【図２３】図２３は、楽曲情報ＤＢに含まれるテーブルの概要の一例を示している。
【図２４】図２４は、カーオーディオが、デジタルサイネージのディスプレイに表示される広告に関連する楽曲の音響信号を出力する処理を実行するフローチャートの一例を示している。
【図２５】図２５は、ディスプレイに表示される広告に関連する楽曲がカーオーディオを介して車内に響き渡る様子を表した概要図の一例を示している。
【発明を実施するための形態】
【００１０】
走行中の車内から看板やデジタルサイネージのディスプレイなどに表示される広告を見かけることがある。しかしながら、広告が、例えば新たにリリースされた楽曲に関する広告である場合、広告を見かけた人は、表示される新曲がどのような曲であるのか聴きたいと思うようになる。しかしながら、表示される新曲をその場で聴くことはできない。また、広告が、例えば花屋で販売されている花に関する広告である場合、広告を見かけた人は、表示される花からどのような匂いが漂うのか嗅ぎたいと思うようになる。しかしながら、表示される花の匂いをその場で嗅ぐことはできない。すなわち、単に広告が表示されているだけでは、広告の訴求効果は低い。
【００１１】
上記を考慮して、本実施形態に係る情報処理装置は、人間の視覚以外の五感を刺激することにより、広告の訴求効果を高める。
【００１２】
本発明の第一の態様は、
表示される広告への車の接近を検知することと、
前記広告への車の接近を検知した場合に、前記車に乗る人間の視覚以外の五感に、前記広告に関連する刺激を与えることと、
を実行する制御部を備える、情報処理装置である。
【００１３】
ここで、視覚以外の五感に与える広告に関連する刺激とは、広告が例えば花に関する広告である場合、花を想起させる匂いのことである。また、広告が例えば音楽に関する広告である場合、音のことである。また、広告が例えば飲食物に関する広告である場合、当該飲食物を想起させる匂いのことである。
【００１４】
上記のような情報処理装置であれば、広告を見かけた消費者に対して、広告に表示される情報を、視覚を通じて認識させることに加えて、視覚以外の五感へ表示内容に関連する刺激を与えることができる。したがって、上記の情報処理装置は、広告が単に表示されている場合と比較して、広告の訴求効果を高めることができる。
【００１５】
＜第一実施形態＞
（システム構成）
図１は、第一実施形態に係る広告表示システム１の構成の概要の一例を示している。本実施形態に係る広告表示システム１は、デジタルサイネージ１０と、送風機２０と、から形成される。ここで、デジタルサイネージ１０は、本発明の「情報処理装置」の一例である。
【００１６】
デジタルサイネージ１０は、映像や文字から形成される広告を表示する装置である。デジタルサイネージ１０は、例えば、駅の構内、繁華街のビルの壁面、幹線道路沿いといった人や車の交通量が多い所に設置されてもよい。デジタルサイネージ１０は、広告が表示されるディスプレイ１１と、ディスプレイ１１の上部にカメラモジュール１２を備える。カメラモジュール１２は、接近する車両を検知するために使用される。
【００１７】
送風機２０は、車両などに搭載され、匂いを車内へ送風する装置である。図２は、送風機２０の構造の概要を示した概要図の一例である。送風機は、匂い物質２１を含むカートリッジ２２を備える。匂い物質２１は、カートリッジ２２の底部に溜められる。匂い物質２１は、例えば、花の匂いを発する物質である。ただし、匂い物質２１は、花の匂いを発する物質に限定されず、植物の匂いを発生させる物質や、飲食物の匂いを発生させる物質であってもよい。また、送風機２０に備わるカートリッジ２２の個数は限定されない。そして、カートリッジ２２毎に、匂い物質２１が異なっていてもよい。
【００１８】
また、カートリッジ２２には、図２に示されるように、中央の下部に開口部２３を備える。そして、送風機２０は、カートリッジ２２の開口部２３に差し込まれる送風管路２４を備える。そして、送風機２０は、各送風管路２４の途中に、カートリッジ２２の内部へ空気を送風するファン２５を備える。そして、送風機２０は、ファン２５が備える羽根の回転数を制御する制御装置２６を備える。また、カートリッジ２２の内部であって、開口部２３の上部には、送風管路２４を通ってカートリッジ２２の内部に流入した空気を拡散させる拡散板２７を備える。また、送風機２０は、匂い物質２１を含むカートリッジ２２内の空気が系外に流出する流出孔２８を備える。
【００１９】
本実施形態に係る広告表示システム１では、デジタルサイネージ１０と、送風機２０とが、無線通信によって相互に接続される。無線通信には、Ｗｉ−Ｆｉ（登録商標）、Ｂｌｕｅｔｏｏｔｈ（登録商標）、赤外線通信等が含まれる。
【００２０】
（機能構成）
【００２１】
図３は、デジタルサイネージ１０の機能構成の概要の一例を示している。デジタルサイネージ１０は、ＣＰＵ等のプロセッサ、ＲＡＭやＲＯＭ等の主記憶装置、ＥＰＲＯＭ、ハードディスクドライブ、ディスプレイ１１、カメラモジュール１２を有する装置である。ディスプレイ１１は、液晶ディスプレイ、有機ＥＬディスプレイなどから形成される。また、ディスプレイの代わりにＬＥＤマトリクス、プロジェクタであってもよい。補助記憶装置には、オペレーティングシステム（ＯＳ）、各種プログラム等が格納され、そこに格納されたプログラムを主記憶装置の作業領域にロードして実行し、プログラムの実行を通じて各構成部等が制御されることによって、後述するような、所定の目的に合致した各機能を実現することができる。
【００２２】
デジタルサイネージ１０は、通信部１０１を備える。通信部１０１は、デジタルサイネージ１０を無線通信接続させるための無線通信インタフェースである。
【００２３】
また、デジタルサイネージ１０は、表示部１０２を備える。表示部１０２は、画像情報をディスプレイ１１に表示させる。
【００２４】
また、デジタルサイネージ１０は、記憶部１０３を備える。記憶部１０３は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。
【００２５】
また、デジタルサイネージ１０は、ディスプレイ１１に表示される広告に関する情報が格納される広告情報データベース（ＤＢ）１０４を含む。広告情報ＤＢ１０４は、プロセッサによって実行されるデータベース管理システムのプログラムが、記憶部１０３に記憶されるデータを管理することで構築される。広告情報ＤＢ１０４は、例えば、リレーショナルデータベースである。
【００２６】
図４は、広告情報ＤＢ１０４に含まれるテーブルの概要の一例を示している。図４に示されるように、広告情報ＤＢ１０４には、広告を識別する広告ＩＤ（Ｉｄｅｎｔｉｆｉｃａｔｉｏｎ）、広告画像情報、広告に表示される表示物に関連する匂い物質２１を含むカートリッジＩＤが格納される。
【００２７】
また、デジタルサイネージ１０は、撮影部１０５を備える。撮影部１０５は、カメラモジュール１２による撮影を制御する。また、撮影部１０５は、撮影した画像情報を車両検知部１０６へ送信する。
【００２８】
また、デジタルサイネージ１０は、車両検知部１０６を備える。車両検知部１０６は、画像に映る物体から車両を識別する。識別方法には、既知の画像認識技術が用いられる。
【００２９】
また、デジタルサイネージ１０は、送風機２０のファン２５を回転させるか否かの判定を行う送風判定部１０７を備える。送風判定部１０７は、広告情報ＤＢ１０４から当該ＤＢに格納されている情報を抽出する。また、送風機２０が備えるカートリッジＩＤを取得する。すなわち、送風判定部１０７は、広告情報ＤＢ１０４に格納されている情報と、送風機２０が備えるカートリッジＩＤ情報と、に基づき、送風機２０のファン２５を回転させるか否かの判定を行う。
【００３０】
また、デジタルサイネージ１０は、送風機２０へファン２５の回転を指示する送風指示
部１０８を備える。送風指示部１０８は、送風機２０のファン２５の回転を制御する制御信号を生成する。制御信号には、カートリッジＩＤ、ファンの回転数、ファンの回転時間などに関する信号が含まれる。
【００３１】
また、プログラムを実行してこれらの機能を実現するデジタルサイネージ１０が有するプロセッサは、本発明の「制御部」の一例である。
【００３２】
次に送風機２０の制御装置２６の機能構成を説明する。図５は、送風機２０の制御装置２６の機能構成の概要の一例を示している。制御装置２６は、ＣＰＵ等のプロセッサ、ＲＡＭやＲＯＭ等の主記憶装置、ＥＰＲＯＭ、ハードディスクドライブ、リムーバブルメディア等の補助記憶装置を有する。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００３３】
制御装置２６は、通信部２０１を備える。通信部２０１は、制御装置２６を無線通信接続させるための無線通信インタフェースである。通信部２０１は、例えば、無線ＬＡＮや３Ｇ、ＬＴＥ等の移動体通信サービスを介して、ネットワークへのアクセスを提供する。
【００３４】
また、制御装置２６は、記憶部２０２を備える。記憶部２０２は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。また、記憶部２０２は、送風機２０が備えるカートリッジのカートリッジＩＤを主記憶装置などに記憶する。
【００３５】
また、制御装置２６は、ファン制御部２０３を備える。ファン制御部２０３は、ファン２５の回転を制御する制御信号に従い、ファン２５の回転を制御する。制御信号には、カートリッジＩＤ、ファンの回転数、ファンの回転時間などに関する信号が含まれる。
【００３６】
（各装置の処理フロー）
次に各装置が実行する処理フローを説明する。図６は、デジタルサイネージ１０が、送風機２０のファン２５を回転させる制御信号を発信する処理を実行するフローチャートの一例を示している。
【００３７】
（Ｓ１００１）
ステップＳ１００１では、表示部１０２が、広告画像情報を出力する。また、記憶部１０３が、出力されている広告画像に対応する広告ＩＤを一時的に主記憶装置に記憶する。また、撮影部１０５が、撮影を実行し、撮影された画像を車両検知部１０６へ送信している。
【００３８】
（Ｓ１００２）
ステップＳ１００２では、車両検知部１０６が、撮影部１０５から受信した画像に映る物体を識別する。そして、車両検知部１０６が、当該物体がデジタルサイネージ１０に接近する車両であるか否かを判定する。
【００３９】
（Ｓ１００３）
ステップＳ１００３では、車両検知部１０６が撮影画像に映る物体が車両であると判定した場合、送風判定部１０７が、カートリッジＩＤを要求する要求信号を、通信部１０１を介して発信する。
【００４０】
（Ｓ１００４）
ステップＳ１００４では、送風判定部１０７が、カートリッジＩＤを要求する要求信号に対する応答信号が受信されたか否かを判定する。そして、カートリッジＩＤを要求する要求信号に対する応答信号が受信されたと判定された場合、送風判定部１０７が、応答信号にカートリッジＩＤ情報が含まれているか否かを判定する。そして、送風判定部１０７は、応答信号にカートリッジＩＤ情報が含まれていると判定した場合、出力されている広告画像に対応する広告ＩＤ情報を主記憶装置から取得する。そして、送風判定部１０７は、当該広告ＩＤに対応するカートリッジＩＤ情報を広告情報ＤＢ１０４から抽出する。すなわち、送風判定部１０７は、出力されている広告画像に対応するカートリッジＩＤ情報を広告情報ＤＢ１０４から抽出する。そして、抽出されたカートリッジＩＤ情報に、応答信号に含まれるカートリッジＩＤ情報が含まれているか否か判定を行う。
【００４１】
（Ｓ１００５）
ステップＳ１００５では、送風判定部１０７が、広告情報ＤＢ１０４から抽出されたカートリッジＩＤ情報に、応答信号に含まれるカートリッジＩＤ情報が含まれていると判定した場合、送風指示部１０８が、ファンの回転を制御する制御信号を生成する。制御信号には、出力されている広告画像に対応するカートリッジＩＤ、ファンの回転数、ファンの回転時間などに関する情報に相当する信号が含まれる。
【００４２】
（Ｓ１００６）
ステップＳ１００６では、通信部１０１が、生成されたファンの回転を制御する制御信号を、応答信号を送信してきた送信元の装置へ送信する。
【００４３】
また、図７は、送風機２０がカートリッジＩＤを要求する要求信号を外部の装置から受信した場合に実行される処理のフローチャートの一例を示している。
【００４４】
（Ｓ２００１）
ステップＳ２００１では、通信部２０１が、カートリッジＩＤを要求する要求信号を外部の装置から受信する。
【００４５】
（Ｓ２００２）
ステップＳ２００２では、通信部２０１が、主記憶装置などに記憶されるカートリッジＩＤ情報を要求信号の送信元へ送信する。
【００４６】
また、図８は、送風機２０がファン２５の回転を制御する制御信号を外部の装置から受信した場合に実行される処理のフローチャートの一例を示している。
【００４７】
（Ｓ２１０１）
ステップＳ２１０１では、通信部２０１が、ファン２５の回転を制御する制御信号を外部の装置から受信する。制御信号には、カートリッジＩＤ、ファンの回転数、ファンの回転時間などに関する情報に相当する信号が含まれる。
【００４８】
（Ｓ２１０２）
ステップＳ２１０２では、ファン制御部２０３が、受信した制御信号に従い、受信した制御信号に含まれるカートリッジＩＤに対応するカートリッジ２２に空気を送り込むファン２５の回転を制御する。
【００４９】
（広告表示システム１の動作例）
次に、広告表示システム１の動作例の一例を説明する。図９は、デジタルサイネージ１０のディスプレイ１１に花屋の広告が表示される場合の広告表示システム１の動作の一例を示している。また、図１０は、デジタルサイネージ１０に車両が接近する状況の一例を示す図である。ここで、当該車両の運転席の前方には、送風機２０が、流出孔２８を車内へ向けた状態で設置されているものとする。また、送風機２０が備えるカートリッジには、ディスプレイ１１に表示される花屋の広告に対応する、花の匂いを発する匂い物質２１が含まれているものとする。
【００５０】
（パターン１Ｐ０１）
ステップＳ１００１の処理が実行され、花に関する広告がディスプレイ１１に表示される。また、ディスプレイ１１に表示される広告を識別する広告ＩＤが主記憶装置に一時的に格納される。また、デジタルサイネージ１０の周囲の撮影が行われ、撮影された画像は車両検知部１０６へ送信される。
【００５１】
（パターン１Ｐ０２）
ステップＳ１００２の処理が実行され、撮影画像にデジタルサイネージ１０に接近する車両が映っているか否かが判定される。
【００５２】
（パターン１Ｐ０３）
撮影画像にデジタルサイネージ１０に接近する車両が映っていると判定された場合、ステップＳ１００３の処理が実行され、カートリッジＩＤ情報を要求する要求信号が、通信部１０１を介して発信される。
【００５３】
（パターン１Ｐ０４）
ステップＳ２００１の処理が実行され、デジタルサイネージ１０へ接近する車両に設置される送風機２０は、カートリッジＩＤ情報を要求する要求信号をデジタルサイネージ１０から受信する。
【００５４】
（パターン１Ｐ０５）
ステップＳ２００２の処理が実行され、花の匂いを発する匂い物質２１を含むカートリッジＩＤ情報がデジタルサイネージ１０へ送信される。
【００５５】
（パターン１Ｐ０６）
ステップＳ１００４の処理が実行され、送風判定部１０７は、送風機２０からの応答信号を受信する。そして、送風判定部１０７は、受信した応答信号の中に、カートリッジＩＤ情報が含まれていると判定する。また、送風判定部１０７は、ディスプレイ１１に表示されている花の画像に対応する広告ＩＤ情報を主記憶装置から取得する。そして、送風判定部１０７は、当該広告ＩＤに対応するカートリッジＩＤ情報を広告情報ＤＢ１０４から抽出する。そして、送風判定部１０７は、受信した応答信号に含まれるカートリッジＩＤが、広告情報ＤＢ１０４から抽出されたカートリッジＩＤ情報に含まれていると判定する。
【００５６】
（パターン１Ｐ０７）
ステップＳ１００５の処理が実行され、ファン２５の回転を制御する制御信号が生成される。制御信号には、ディスプレイ１１に表示される花屋に対応するカートリッジＩＤであって、パターン１Ｐ０６において受信した応答信号に含まれるカートリッジＩＤ、ファン２５の回転数、ファン２５の回転時間などに関する情報に相当する信号が含まれる。
【００５７】
（パターン１Ｐ０８）
ステップＳ１００６の処理が実行され、生成された制御信号は、送風機２０へ送信される。
【００５８】
（パターン１Ｐ０９）
ステップＳ２１０１の処理が実行され、送風機２０が、ファン２５の回転を制御する制御信号をデジタルサイネージ１０から受信する。制御信号には、カートリッジＩＤ、ファン２５の回転数、ファン２５の回転時間などに関する情報に相当する信号が含まれる。
【００５９】
（パターン１Ｐ１０）
ステップＳ２１０２の処理が実行され、送風機２０のファン制御部２０３が、受信した制御信号に含まれるカートリッジＩＤに対応するカートリッジ２２に空気を送り込むファン２５の回転を制御する。ファン２５の回転数や回転時間は、受信した制御信号に従って制御される。
【００６０】
（第一実施形態の効果）
第一実施形態に係る広告表示システム１では、デジタルサイネージ１０が、車両の接近を検知した場合に、接近する車両に搭載される送風機２０へ向けて、ファン２５の回転を制御する制御信号を送信している。また、制御信号に従って回転するファン２５は、花の匂いを発するカートリッジに空気を送り込むファンである。すなわち、上記の広告表示システム１であれば、車両に乗り、デジタルサイネージ１０に表示される花屋の広告を見かけた人間は、花屋の広告を、視覚を通じて認識することに加えて、嗅覚を通じて認識することとなる。すなわち、上記の広告表示システム１は、広告の訴求効果を高めることができる。
【００６１】
また、上記の広告表示システム１で表示される広告を見かけた車両の所有者が、広告に表示される商品を購買した場合、広告主がカートリッジ２２の購入費用の少なくとも一部を負担する仕組みであってもよい。このような仕組みであれば、送風機２０が設置される車両の所有者が広告に表示される商品を購入する意欲は高まることとなる。
【００６２】
（第一実施形態の変形例）
第一実施形態では、ディスプレイ１１に表示される花屋の広告に関連する花の匂いが、車両に設置された送風機２０から車内に送風されていた。しかしながら、表示される広告に関連する花の匂いが、広告の表示場所の近傍から車両へ向けて送風されてもよい。図１１は、車両の接近を検知した場合に、広告の表示場所近傍か当該車両へ向けて匂いを送風する広告表示システム１Ａの概要の一例をしている。このような広告表示システム１Ａは、車両を検出し、匂いを送風する送風機３０を備える。送風機３０は、送風機２０に加えて、カメラモジュール３１と、匂いを車両へ向けて拡散させるファン３２と、を備える。ここで、送風機３０は、本発明の「情報処理装置」の一例である。また、送風機３０は、広告の表示場所の近傍に設置される。また、送風機３０は、広告に表示される花屋に関連する花の匂いを発する匂い物質２１を含むカートリッジを含む。また、送風機３０は、花の匂い以外の匂いを発するカートリッジを含んでもよい。また、図１１に示されるように、広告は、デジタルサイネージ１０のディスプレイ１１に表示されることに限らず、看板に表示されてもよい。
【００６３】
（機能構成）
図１２は、送風機３０の機能構成の概要の一例を示している。送風機３０は、ＣＰＵ等のプロセッサ、ＲＡＭやＲＯＭ等の主記憶装置、ＥＰＲＯＭ、ハードディスクドライブ、カメラモジュール３１を有する装置である。補助記憶装置には、オペレーティングシステム（ＯＳ）、各種プログラム等が格納され、そこに格納されたプログラムを主記憶装置の
作業領域にロードして実行し、プログラムの実行を通じて各構成部等が制御されることによって、後述するような、所定の目的に合致した各機能を実現することができる。
【００６４】
送風機３０、ファン制御部３０１を備える。ファン制御部３０１は、ファン２５の回転を制御する制御信号に従い、ファン２５の回転を制御する。制御信号には、カートリッジＩＤ、ファン２５の回転数、ファン２５の回転時間などに関する信号が含まれる。また、ファン制御部３０１は、ファン３２の回転を制御する制御信号に従い、ファン３２の回転を制御する。制御信号には、ファンの３２の回転数、ファン３２の回転時間などに関する信号が含まれる。
【００６５】
また、送風機３０は、記憶部３０２を備える。記憶部３０２は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。
【００６６】
また、送風機３０は、撮影部３０３を備える。撮影部３０３は、カメラモジュール３１による撮影を制御する。また、撮影部３０３は、撮影した画像情報を車両検知部３０４へ送信する。
【００６７】
また、送風機３０は、車両検知部３０４を備える。車両検知部３０４は、画像に映る物体から車両を識別する。識別方法には、既知の画像認識技術が用いられる。また、車両検知部３０４は、車両を識別した場合、ファン２５及びファン３２の回転を制御する制御信号を生成する。
【００６８】
また、プログラムを実行してこれらの機能を実現する送風機３０が有するプロセッサは、本発明の「制御部」の一例である。
【００６９】
（車両検出装置の処理フロー）
図１３は、送風機３０が、接近する車両を検知した場合、ファン２５及びファン３２を回転させ、花の匂いを外部へ拡散させる処理を実行するフローチャートの一例を示している。
【００７０】
（Ｓ３００１）
ステップＳ３００１では、記憶部３０２が、花の匂いを発する匂い物質２１を含むカートリッジＩＤを主記憶装置や補助記憶装置に格納する。また、撮影部３０３が、送風機３０の周囲の撮影を実行し、撮影された画像を車両検知部３０４へ送信する。
【００７１】
（Ｓ３００２）
ステップＳ３００２では、車両検知部３０４が、撮影部３０３から受信した画像に映る物体を識別する。そして、車両検知部３０４が、当該物体が広告に接近している車両であるか否かを判定する。
【００７２】
（Ｓ３００３）
ステップＳ３００３では、車両検知部３０４が、撮影画像に映る物体が広告に接近している車両であると判定した場合、ファン２５及びファン３２の回転を制御する制御信号を生成する。ここで、車両検知部３０４は、主記憶装置や補助記憶装置に保存される、花の匂いを発生させる匂い物質２１を含むカートリッジＩＤ情報を参照し、当該カートリッジ
に空気を送り込むファン２５の回転を制御する制御信号を生成する。そして、車両検知部３０４は、生成した制御信号をファン制御部３０１へ送信する。
【００７３】
（Ｓ３００４）
ステップＳ３００４では、ファン制御部３０１が、受信した制御信号に従い、ファン２５及びファン３２の回転を制御する。よって、花の匂いを発生させる匂い物質２１を含むカートリッジに空気が流入することとなる。そして、カートリッジ内の空気は、流出孔２８を介してカートリッジの外部へ流出する。そして、当該空気は、ファン３２が回転することにより、車両方向へ送風される。
【００７４】
上記のような変形例であっても、第一実施形態と同様に、車両に乗り、看板に表示される花屋の広告を見かけた人間は、花屋の広告を、視覚を通じて認識することに加えて、嗅覚を通じて認識することとなる。すなわち、上記の広告表示システム１Ａは、広告の訴求効果を高めることができる。
【００７５】
また、上記の実施形態では、デジタルサイネージのディスプレイ１１に表示される内容が花に関するものであった。しかし、表示される内容は上記に限定されず、例えば飲食物に関するものであってもよい。そして、送風機２０や送風機３０から飲食物に関連する匂いが発せられてもよい。このような変形例であっても上記の実施形態と同様に、広告を見かけた人間は、視覚を通じて認識することに加え、嗅覚を通じて認識することとなる。よって、広告の訴求効果は高まる。
【００７６】
＜第二実施形態＞
（システム構成）
図１４は、第二実施形態に係る広告表示システム１Ｂの構成の概要の一例を示している。本実施形態に係る広告表示システム１Ｂは、デジタルサイネージ１０Ａと、カーオーディオ４０と、から形成される。カーオーディオ４０は、スピーカー４１を備える。ここで、デジタルサイネージ１０Ａは、本発明の「情報処理装置」の一例である。
【００７７】
本実施形態に係る広告表示システム１Ｂでは、デジタルサイネージ１０Ａと、カーオーディオ４０とが、無線通信によって相互に接続される。無線通信には、Ｗｉ−Ｆｉ、Ｂｌｕｅｔｏｏｔｈ、赤外線通信等が含まれる。
【００７８】
（機能構成）
図１５は、デジタルサイネージ１０Ａの機能構成の概要の一例を示している。デジタルサイネージ１０Ａは、デジタルサイネージ１０と同様の機能に加えて追加の機能を備える。以下、デジタルサイネージ１０Ａが備える機能であって、デジタルサイネージ１０から追加された機能を説明する。
【００７９】
デジタルサイネージ１０Ａは、ディスプレイ１１に表示される広告に関する楽曲情報が格納される広告情報データベース（ＤＢ）１０４Ａを含む。広告情報ＤＢ１０４Ａは、プロセッサによって実行されるデータベース管理システムのプログラムが、記憶部１０３に記憶されるデータを管理することで構築される。広告情報ＤＢ１０４Ａは、例えば、リレーショナルデータベースである。
【００８０】
図１６は、広告情報ＤＢ１０４Ａに含まれるテーブルの概要の一例を示している。図１６に示されるように、広告情報ＤＢ１０４Ａには、広告を識別する広告ＩＤ、広告画像情報、広告に関連する楽曲の音響信号情報が格納される。
【００８１】
また、デジタルサイネージ１０Ａは、音響信号発信部１０９を備える。音響信号発信部
１０９は、通信部１０１を介して音響信号を発信する。
【００８２】
また、デジタルサイネージ１０Ａは、デジタルサイネージ１０が備えていた広告情報ＤＢ１０４、送風判定部１０７、及び送風指示部１０８を備えていてもいなくてもよい。
【００８３】
また、プログラムを実行してこれらの機能を実現するデジタルサイネージ１０Ａが有するプロセッサは、本発明の「制御部」の一例である。
【００８４】
次にカーオーディオ４０の機能構成を説明する。図１７は、カーオーディオ４０の機能構成の概要の一例を示している。カーオーディオ４０は、ＣＰＵ等のプロセッサ、ＲＡＭやＲＯＭ等の主記憶装置、ＥＰＲＯＭ、ハードディスクドライブ、リムーバブルメディア等の補助記憶装置を有する。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００８５】
カーオーディオ４０は、通信部４０１を備える。通信部４０１は、カーオーディオ４０を無線通信接続させるための無線通信インタフェースである。
【００８６】
また、カーオーディオ４０は、記憶部４０２を備える。記憶部４０２は、主記憶装置と補助記憶装置を含んで構成される。主記憶装置は、プロセッサによって実行されるプログラムや、当該制御プログラムが利用するデータが展開されるメモリである。補助記憶装置は、プロセッサにおいて実行されるプログラムや、当該制御プログラムが利用するデータが記憶される装置である。補助記憶装置には、プログラムを実行するためのオペレーティングシステムを記憶してもよい。補助記憶装置に記憶されたプログラムが主記憶装置にロードされ、プロセッサによって実行されることで、前述した機能が実現される。
【００８７】
また、カーオーディオ４０は、音響出力部４０３を備える。音響出力部４０３は、音響信号を出力し、スピーカー４１を介して音を響かせる。
【００８８】
（各装置の処理フロー）
次に各装置が実行する処理フローを説明する。図１８は、デジタルサイネージ１０Ａが、ディスプレイ１１に表示される広告に関連する楽曲の音響信号を発信する処理を実行するフローチャートの一例を示している。
【００８９】
（Ｓ１１０１）
ステップＳ１１０１では、表示部１０２が、広告画像情報を出力する。そして、ディスプレイ１１に広告画像が表示される。また、記憶部１０３が、出力されている広告画像に対応する広告ＩＤを一時的に主記憶装置に記憶する。また、撮影部１０５が、デジタルサイネージ１０Ａの周囲を撮影し、撮影された画像を車両検知部１０６へ送信する。
【００９０】
（Ｓ１１０２）
ステップＳ１１０２では、車両検知部１０６が、撮影部１０５から受信した画像に映る物体を識別する。そして、車両検知部１０６が、当該物体がデジタルサイネージ１０Ａに接近する車両であるか否かを判定する。
【００９１】
（Ｓ１１０３）
ステップＳ１１０３では、車両検知部１０６が、撮影画像に映る物体がデジタルサイネージ１０Ａへ接近する車両であると判定した場合、音響信号発信部１０９が、主記憶装置に記憶される広告ＩＤに対応する音響信号情報を広告情報ＤＢ１０４Ａから抽出する。そ
して、音響信号発信部１０９は、抽出した音響信号情報を、通信部１０１を介して発信する。
【００９２】
また、図１９は、カーオーディオ４０の動作のフローチャートの一例を示している。
【００９３】
（Ｓ４００１）
ステップＳ４００１では、通信部４０１が、音響信号を受信する。本実施形態では、通信部４０１は、デジタルサイネージ１０Ａから発せられた音響信号を受信する。
【００９４】
（Ｓ４００２）
ステップＳ４００２では、音響出力部４０３が、受信した音響信号を出力する。すなわち、表示される広告に関連する音響が車内に響き渡ることとなる。
【００９５】
（第二実施形態の効果）
図２０は、デジタルサイネージ１０Ａのディスプレイ１１に表示される広告が歌手の新曲に関する広告である場合であって、上記の動作フローが実行された場合の概要の一例を示している。図２０に示されるように、車両に乗り、デジタルサイネージ１０Ａのディスプレイ１１に表示される歌手の新曲に関する広告を見かけた人間は、新曲の広告を、視覚を通じて認識することに加え、聴覚を通じて認識することとなる。すなわち、上記の広告表示システム１Ｂは、広告の訴求効果を高めることができる。
【００９６】
また、第二実施形態では、車両に設置されたカーオーディオ４０が、デジタルサイネージ１０Ａから音響信号を受信し、車内に楽曲を響かせていたが、カーオーディオ４０の代わりにスマートフォンやタブレット端末といった、スピーカーと無線通信インタフェースを備える情報端末が、音響信号を受信し、車内に楽曲を響かせてもよい。このような構成であっても、上記の広告表示システム１Ｂの動作を実現することができ、広告の訴求効果は高まる。
【００９７】
（第二実施形態の変形例）
第二実施形態では、ディスプレイ１１に表示される広告に関連する楽曲の音響信号がデジタルサイネージ１０Ａから発信され、カーオーディオ４０が当該音響信号を受信する形態であったが、カーオーディオがデジタルサイネージ１０Ａに表示される広告の内容を識別し、識別結果に基づいて音響信号を生成・出力してもよい。
【００９８】
図２１は、第二実施形態の変形例に係る広告表示システム１Ｃの概要の一例をしている。広告表示システム１Ｃは、デジタルサイネージ１０Ａと、カーオーディオ４０Ａと、から形成される。カーオーディオ４０Ａは、スピーカー４１に加えてデジタルサイネージ１０Ａに表示される広告画像を撮影するカメラモジュール４２を備える。また、デジタルサイネージは、カメラモジュールを備えていなくてもよく、広告を表示させる機能のみを備えるものであってもよい。ここで、カーオーディオ４０Ａは、本発明の「情報処理装置」の一例である。
【００９９】
本実施形態に係る広告表示システム１Ｃでは、デジタルサイネージ１０Ａとカーオーディオ４０Ａとが、無線通信によって相互に接続される。無線通信には、Ｗｉ−Ｆｉ、Ｂｌｕｅｔｏｏｔｈ、赤外線通信等が含まれる。
【０１００】
（機能構成）
次にカーオーディオ４０Ａの機能構成を説明する。図２２は、カーオーディオ４０Ａの機能構成の概要の一例を示している。カーオーディオ４０Ａは、カーオーディオ４０と同様の機能を備える。以下、カーオーディオ４０Ａが備える機能であって、カーオーディオ
４０が備える機能とは異なる機能を説明する。
【０１０１】
カーオーディオ４０Ａは、撮影部４０４を備える。撮影部４０４は、カメラモジュール４２による撮影を制御する。また、撮影部４０４は、撮影した画像情報を楽曲特定部４０５（後述する）へ送信する。
【０１０２】
カーオーディオ４０Ａは、楽曲特定部４０５を含む。楽曲特定部４０５は、撮影部４０４から受信した画像に映る物体を識別する。識別方法には、既知の画像認識技術が用いられる。また、楽曲特定部４０５は、楽曲情報ＤＢ４０６（後述する）に格納される情報を抽出する。そして、楽曲特定部４０５は、撮影部４０４から受信した画像から識別した物体情報と、楽曲情報ＤＢ４０６（後述する）に含まれる情報と、に基づき、受信した画像情報に対応する楽曲を特定する。
【０１０３】
カーオーディオ４０Ａは、楽曲に関する情報が格納される楽曲情報ＤＢ４０６を含む。楽曲情報ＤＢ４０６は、プロセッサによって実行されるデータベース管理システムのプログラムが、記憶部４０２に記憶されるデータを管理することで構築される。楽曲情報ＤＢ４０６は、例えば、リレーショナルデータベースである。
【０１０４】
図２３は、楽曲情報ＤＢ４０６に含まれるテーブルの概要の一例を示している。図２３に示されるように、楽曲情報ＤＢ４０６には、歌手の顔画像情報、楽曲タイトル情報、楽曲歌詞情報、音響情報が格納される。また、音響情報は、楽曲の一部であっても全部であってもよい。
【０１０５】
また、プログラムを実行してこれらの機能を実現するカーオーディオ４０Ａが有するプロセッサは、本発明の「制御部」の一例である。
【０１０６】
（カーオーディオ４０Ａの処理フロー）
次にカーオーディオ４０Ａが実行する処理フローを説明する。図２４は、カーオーディオ４０Ａが，デジタルサイネージ１０Ａのディスプレイ１１に表示される広告に関連する楽曲の音響信号を出力する処理を実行するフローチャートの一例を示している。ここで、ディスプレイ１１には、新曲に関する広告が表示されているものとする。また、楽曲を歌う歌手の顔、楽曲のタイトル、楽曲の歌詞などが表示されているものとする。また、図２５は、カーオーディオ４０Ａが車両に設置され、ディスプレイ１１に表示される広告に関連する楽曲がカーオーディオ４０Ａを介して車内に響き渡る様子を表した概要図の一例を示している。ここで、カーオーディオ４０Ａは、カメラモジュール４２が車の前方を向くように車内のダッシュボードに設置される。
【０１０７】
（Ｓ４１０１）
ステップＳ４１０１では、カーオーディオ４０Ａの撮影部４０４が、撮影を実行し、撮影された画像を楽曲特定部４０５へ送信する。
【０１０８】
（Ｓ４１０２）
ステップＳ４１０２では、楽曲特定部４０５が、撮影部１０５から受信した画像に映る物体から、楽曲を歌う歌手の顔、楽曲のタイトル情報、楽曲の歌詞情報などを識別する。つまり、車両がディスプレイ１１に接近した場合、楽曲特定部４０５は、楽曲を歌う歌手の顔、楽曲のタイトル情報、楽曲の歌詞情報などを識別することができる。また、楽曲特定部４０５は、楽曲情報ＤＢ４０６に格納される情報を抽出する。そして、楽曲特定部４０５は、識別された楽曲を歌う歌手の顔、楽曲のタイトル情報、楽曲の歌詞情報に対応する音響情報を特定する。すなわち、本変形例では、ディスプレイ１１に表示される楽曲を歌う歌手の顔、楽曲のタイトル、楽曲の歌詞などが識別され、これら識別された情報に対
応する音響情報が特定される。
【０１０９】
（Ｓ４１０３）
ステップＳ４１０３では、音響出力部４０３が、特定された音響情報の信号を生成し、出力する。すなわち、図２５に示されるように、表示される広告に関連する音響が車内に響き渡ることとなる。
【０１１０】
上記のような広告表示システム１Ｃであっても、第二実施形態と同様に、車両に乗り、デジタルサイネージ１０Ａのディスプレイ１１に表示される歌手の新曲に関する広告を見かけた人間は、新曲の広告を、視覚を通じて認識することに加え、聴覚を通じて認識することとなる。すなわち、上記の広告表示システム１Ｃは、広告の訴求効果を高めることができる。
【０１１１】
＜その他の実施形態＞
上記の実施形態では、視覚に加えて嗅覚あるいは聴覚を介して広告を認識する一例を示した。しかし、視覚に加えて、嗅覚及び聴覚を介して広告を認識させる広告表示システムであってもよい。例えば、デジタルサイネージにヒーリングミュージックの広告が表示され、車両に送風機２０及びカーオーディオ４０が搭載されている場合、送風機２０からヒーリング効果のある匂いを車内に送風するとともに、カーオーディオ４０からヒーリングミュージックが車内に響き渡らせることができる。このような実施形態であっても、広告の訴求効果を高めることができる。
【０１１２】
また、上記の実施形態はあくまでも一例であって、本発明はその要旨を逸脱しない範囲内で適宜変更して実施しうる。
【０１１３】
また、本開示において説明した構成や処理は、技術的な矛盾が生じない限りにおいて、自由に組み合わせて実施することができる。
【０１１４】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１１５】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０１１６】
１、１Ａ、１Ｂ、１Ｃ：広告表示システム
１０、１０Ａ：デジタルサイネージ
１１：ディスプレイ
１２：カメラモジュール
２０：送風機
２１：匂い物質
２２：カートリッジ
２３：開口部
２４：送風管路
２５：ファン
２６：制御装置
２７：拡散板
２８：流出孔
３０：送風機
３１：カメラモジュール
３２：ファン
４０、４０Ａ：カーオーディオ
４１：スピーカー
４２：カメラモジュール
１０１：通信部
１０２：表示部
１０３：記憶部
１０４、１０４Ａ：広告情報ＤＢ
１０５：撮影部
１０６：車両検知部
１０７：送風判定部
１０８：送風指示部
１０９：音響信号発信部
２０１：通信部
２０２：記憶部
２０３：ファン制御部
３０１：ファン制御部
３０２：記憶部
３０３：撮影部
３０４：車両検知部
４０１：通信部
４０２：記憶部
４０３：音響出力部
４０４：撮影部
４０５：楽曲特定部
４０６：楽曲情報ＤＢ
【図１】
2020030755.tif 000003
【図２】
2020030755.tif 000004
【図３】
2020030755.tif 000005
【図４】
2020030755.tif 000006
【図５】
2020030755.tif 000007
【図６】
2020030755.tif 000008
【図７】
2020030755.tif 000009
【図８】
2020030755.tif 000010
【図９】
2020030755.tif 000011
【図１０】
2020030755.tif 000012
【図１１】
2020030755.tif 000013
【図１２】
2020030755.tif 000014
【図１３】
2020030755.tif 000015
【図１４】
2020030755.tif 000016
【図１５】
2020030755.tif 000017
【図１６】
2020030755.tif 000018
【図１７】
2020030755.tif 000019
【図１８】
2020030755.tif 000020
【図１９】
2020030755.tif 000021
【図２０】
2020030755.tif 000022
【図２１】
2020030755.tif 000023
【図２２】
2020030755.tif 000024
【図２３】
2020030755.tif 000025
【図２４】
2020030755.tif 000026
【図２５】
2020030755.tif 000027